(57)【要約】【課題】排尿時において、男性性器を容易に取り出し可能な使い捨ておむつを提供すること。【解決手段】装着時における前身頃と、後身頃と、を少なくとも有するシャーシー本体と、シャーシー本体の少なくとも一部に配置される液透過性の表面シートと、表面シートの厚さ方向における一方側に配置される液不透過性の裏面シートと、表面シートと裏面シートとの間に配置される液保持性の吸収体と、を備える。シャーシー本体は、第１シャーシーと、第２シャーシーと、を有し、シャーシー本体の前身頃には、第１及び第２シャーシーの少なくとも一部を重ね合わせることにより形成される重ね合わせ部が設けられており、重ね合わせ部は、使い捨ておむつの長手方向に伸び、幅方向を二分する略中心線を跨いで互いに離間したそれぞれの位置において第１及び第２シャーシーを接合する接合部と、この接合部の間に設けられる非接合部と、を有する。【選択図】図２
2008079838.tif 000002
【特許請求の範囲】
【請求項１】
装着時における前身頃と、後身頃と、を少なくとも有するシャーシー本体と、該シャーシー本体の少なくとも一部に配置される液透過性の表面シートと、該表面シートの厚さ方向における一方側に配置される液不透過性の裏面シートと、前記表面シートと前記裏面シートとの間に配置される液保持性の吸収体と、を備える使い捨ておむつであって、
前記シャーシー本体は、第１シャーシーと、第２シャーシーと、を有し、
前記シャーシー本体の前記前身頃には、前記第１及び第２シャーシーの少なくとも一部を重ね合わせることにより形成される重ね合わせ部が設けられており、
該重ね合わせ部は、前記使い捨ておむつの長手方向に伸び、幅方向を二分する略中心線を跨いで互いに離間したそれぞれの位置において前記第１及び第２シャーシーを接合する接合部と、該接合部の間に設けられる非接合部と、を有する使い捨ておむつ。
【請求項２】
該使い捨ておむつは、前記シャーシー本体の前記前身頃と前記後身頃とを所定の位置において、予め又は装着時に接合又は係止させることにより、胴開口部と、一対の脚開口部と、股間部と、を備えるパンツ形状に形成可能であり、
パンツ形状における前記シャーシー本体は、少なくともその一部が伸縮若しくは伸長可能に形成される請求項１に記載の使い捨ておむつ。
【請求項３】
パンツ形状における前記シャーシー本体は、前記胴開口部の前記後身頃における略中央と、前記非接合部の股下方向側にある股間部の近傍と、をパンツ形状における前記シャーシーの胴周囲に沿って繋ぐことにより形成される開口伸縮領域を備え、
該開口伸縮領域は、少なくともその一部が伸縮若しくは伸張可能に形成される請求項２に記載の使い捨ておむつ。
【請求項４】
前記開口伸縮領域における非伸張時に対する伸張時の伸張倍率が、１．１倍から４．０倍の範囲にある請求項３に記載の使い捨ておむつ。
【請求項５】
前記開口伸縮領域の非伸張時における胴周囲の長さを１００％とした場合に、該開口伸縮領域の胴周囲の長さが１５０％になるまで伸張させた場合の引張応力が、２０Ｎ以下である請求項３に記載の使い捨ておむつ。
【請求項６】
パンツ形状における前記シャーシー本体は、前記前身頃と前記後身頃との接合又は係止位置を含む境界部近傍の全部又は一部に形成される弾性境界領域を備え、
該弾性境界領域は、少なくともその一部が伸縮若しくは伸張可能に形成される請求項２に記載の使い捨ておむつ。
【請求項７】
前記接合部の少なくとも一部には、剛性の高い補強部材が配置される請求項１から６のいずれかに記載の使い捨ておむつ。
【請求項８】
前記非接合部の近傍には、該非接合部の存在を示唆する案内標識が設けられる請求項１から７のいずれかに記載の使い捨ておむつ。
【請求項９】
前記案内標識は、色彩を付与することにより前記非接合部の存在を示唆する請求項８に記載の使い捨ておむつ。
【請求項１０】
前記案内標識は、凹凸により前記非接合部の存在を示唆する請求項８に記載の使い捨ておむつ。
【請求項１１】
前記非接合部の股間部側には、開口補助具が設けられる請求項１から１０のいずれかに記載の使い捨ておむつ。
【発明の詳細な説明】
【技術分野】
【０００１】
本発明は、使い捨ておむつに関する。特に、容易に男性性器を取り出し可能な使い捨ておむつに関する。
【背景技術】
【０００２】
従来より、高齢者や身障者等が使用する吸収性物品として、使い捨ておむつ、トレーニングパンツ、失禁用パンツなどがある。これらの吸収性物品は、いずれも着用者の生活習慣や介護レベルに応じて使い分けられている。例えば、使い捨ておむつは、高齢者や身障者等のように自力での排泄行為が困難な人に対して、その排泄物を漏らすことなく保持吸収することにより、排泄等のための補助具として、又は介護用衛生品として、使用されている。
【０００３】
ここで、使い捨ておむつは、自力での排尿行為が困難な人だけでなく、軽度の失禁症等の身障者や歩行が可能な高齢者等のような自力での排尿行為が可能な人であっても使用する場合がある。しかしながら、軽度の失禁症の身障者や歩行が可能な高齢者等にとっては、おむつが一般的に自力での排尿行為が困難な人が使用するものであるという印象により、おむつを穿くことに抵抗感を有することが多かった。これは、従来のおむつが漏れ防止の観点よりおむつ自体に開口を設けるという観念を有さず、一般的な男性用下着に備えられているような排尿時に男性性器を取り出すための排尿用取出し口等を有していないためでもあった。これにより、着用者が排尿する場合には、例えば、個室に入り、おむつを脱ぐ等の一般的な排尿時における動作とは異なる動作を必要としていた。そして、このような行為は、特に男性の着用者にとっては大変煩雑な行為であり、おむつを穿くことに対してより一層の抵抗感を与えるものであった。
【０００４】
これに対し、紙おむつの着用時であっても男性の性器の取り出しを可能とする吸収性物品が開示されている（例えば、特許文献１参照）。
【０００５】
特許文献１に記載の吸収性物品は、内面シートと、外面シートと、これらの間に設けられる中間シートとを備え、着用時に着用者の腹側に位置する腹側部と、背側に位置する背側部と、その間の股下部とに区分される紙おむつ本体と、紙おむつ本体の股下部に貼着される吸収体を有する。腹側部の内面及び外面シートには、装着時に男性性器を取り出し可能な開口部を形成するためのミシン目が設けられ、止着材をはずし、中間シートをずらすことにより内面及び外面シートの開口部が連通して腹側部に貫通口が形成可能に構成されている。これにより、紙おむつ装着時であっても男性性器の取り出しができるというものである。
【特許文献１】特開２００５−８０９９６号公報
【発明の開示】
【発明が解決しようとする課題】
【０００６】
しかしながら、特許文献１に開示の紙おむつは、腹側部の内面及び外面シートに性器を取り出すための開口部は形成されているが、この開口部は、開口のみの構成であるため、開口部を広げにくいという問題があった。また、この紙おむつは、着用者が排尿するにあたり、男性性器を開口部から取り出すために様々な動作を必要としていた。例えば、男性性器を取り出すにあたり、中間シートをずらすために中間シートの止着部材を外す必要があった。このような行為は、例えば、麻痺等により片手しか使えない着用者にとっては、自力での排尿行為を困難なものとするものであった。さらには、中間シートを止着部材から外すとき、特有の音を発生させるおそれがあった。これにより、排尿時において周囲に紙おむつを着用していることを気づかれるおそれがあり、紙おむつを使用することに対する抵抗感を増加させるものであった。
【０００７】
本発明は、以上のような課題に鑑みてなされたものであり、排尿時において、男性性器を容易に取り出し可能な使い捨ておむつを提供することを目的とする。
【課題を解決するための手段】
【０００８】
本発明者は、上記目的を達成するために、使い捨ておむつの前身頃において、複数のシート部材を重ね合わせることにより形成される排尿用の開口部を設けるとともに、使い捨ておむつの所定の部位を伸縮可能に形成することにより、排尿行為が容易になることを見出し、本発明を完成するに至った。具体的には、以下のような使い捨ておむつを提供することを目的とする。
【０００９】
（１）  装着時における前身頃と、後身頃と、を少なくとも有するシャーシー本体と、該シャーシー本体の少なくとも一部に配置される液透過性の表面シートと、該表面シートの厚さ方向における一方側に配置される液不透過性の裏面シートと、前記表面シートと前記裏面シートとの間に配置される液保持性の吸収体と、を備える使い捨ておむつであって、前記シャーシー本体は、第１シャーシーと、第２シャーシーと、を有し、前記シャーシー本体の前記前身頃には、前記第１及び第２シャーシーの少なくとも一部を重ね合わせることにより形成される重ね合わせ部が設けられており、該重ね合わせ部は、前記使い捨ておむつの長手方向に伸び、幅方向を二分する略中心線を跨いで互いに離間したそれぞれの位置において前記第１及び第２シャーシーを接合する接合部と、該接合部の間に設けられる非接合部と、を有する使い捨ておむつ。
【００１０】
（２）  該使い捨ておむつは、前記シャーシー本体の前記前身頃と前記後身頃とを所定の位置において、予め又は装着時に接合又は係止させることにより、胴開口部と、一対の脚開口部と、股間部と、を備えるパンツ形状に形成可能であり、パンツ形状における前記シャーシー本体は、少なくともその一部が伸縮若しくは伸長可能に形成される（１）に記載の使い捨ておむつ。
【００１１】
（３）  パンツ形状における前記シャーシー本体は、前記胴開口部の前記後身頃における略中央と、前記非接合部の股下方向側にある股間部の近傍と、をパンツ形状における前記シャーシーの胴周囲に沿って繋ぐことにより形成される開口伸縮領域を備え、該開口伸縮領域は、少なくともその一部が伸縮若しくは伸張可能に形成される（２）に記載の使い捨ておむつ。
【００１２】
（４）  前記開口伸縮領域における非伸張時に対する伸張時の伸張倍率が、１．１倍から４．０倍の範囲にある（３）に記載の使い捨ておむつ。
【００１３】
（５）  前記開口伸縮領域の非伸張時における胴周囲の長さを１００％とした場合に、該開口伸縮領域の胴周囲の長さが１５０％になるまで伸張させた場合の引張応力が、２０Ｎ以下である（３）に記載の使い捨ておむつ。
【００１４】
（６）  パンツ形状における前記シャーシー本体は、前記前身頃と前記後身頃との接合又は係止位置を含む境界部近傍の全部又は一部に形成される弾性境界領域を備え、
該弾性境界領域は、少なくともその一部が伸縮若しくは伸張可能に形成される（２）に記載の使い捨ておむつ。
【００１５】
（７）  前記接合部の少なくとも一部には、剛性の高い補強部材が配置される（１）から（６）のいずれかに記載の使い捨ておむつ。
【００１６】
（８）  前記非接合部の近傍には、該非接合部の存在を示唆する案内標識が設けられる（１）から（７）のいずれかに記載の使い捨ておむつ。
【００１７】
（９）  前記案内標識は、色彩を付与することにより前記非接合部の存在を示唆する（８）に記載の使い捨ておむつ。
【００１８】
（１０）  前記案内標識は、凹凸により前記非接合部の存在を示唆する（８）に記載の使い捨ておむつ。
【００１９】
（１１）  前記非接合部の股間部側には、開口補助具が設けられる（１）から（１０）のいずれかに記載の使い捨ておむつ。
【発明の効果】
【００２０】
本発明によれば、排尿時において、男性性器を容易に取り出し可能な使い捨ておむつを提供することができる
【発明を実施するための最良の形態】
【００２１】
以下、本発明の実施形態について、図面を参照しながら説明する。なお、本発明の実施形態は、下記の実施形態に何ら限定されることなく、本発明の技術的範囲は、これに限定されるものではない。例えば、本実施形態においては、大人用の使い捨ておむつについて説明するが、本発明においてはこれに限らず、子供のトイレトレーニング用の使い捨ておむつ等について使用してもよい。
【００２２】
また、以下の実施形態において、使い捨ておむつのうち着用者の身体に向けられる側を肌当接面側とし、肌当接面側と反対側を非肌当接面側とする。
【００２３】
図１は、本発明の実施形態に係る使い捨ておむつの展開状態における斜視分解組立図である。図２（Ａ）は、前記実施形態に係る使い捨ておむつの斜視図である。図２（Ｂ）は、図２（Ａ）のＸ−Ｘ断面図である。図３（Ａ）は、パンツ型の使い捨ておむつの装着状態を示す斜視図である。図３（Ｂ）は、展開型の使い捨ておむつの装着状態を示す斜視図である。図４（Ａ）は、前記実施形態に係る使い捨ておむつの弾性部材の配置を示す展開図である。図４（Ｂ）は、図４（Ａ）の使い捨ておむつをパンツ型に形成した正面図である。図５（Ａ）は、重ね合せ開口部の配置位置を示す正面図である。図５（Ｂ）は、重ね合せ開口部の配置位置を示す展開図である。図６（Ａ）及び（Ｂ）は、第１及び第２シャーシーの接合状態を示す断面図である。図７（Ａ）は、第１実施形態に係る使い捨ておむつの開口伸縮領域を示す斜視図である。図７（Ｂ）は、開口伸縮領域が伸張することにより、重ね合せ開口部を広げた状態を示す図である。図８（Ａ）は、第１実施形態に係る使い捨ておむつの弾性後身頃領域を示す斜視図である。図８（Ｂ）は、弾性後身頃領域が伸張することにより、重ね合せ開口部を広げた状態を示す図である。図９（Ａ）は、第１実施形態に係る使い捨ておむつの弾性境界領域を示す斜視図である。図９（Ｂ）は、弾性境界領域が伸張することにより、重ね合せ開口部を広げた状態を示す図である。
【００２４】
図１０は、第１実施形態に係る使い捨ておむつの着用状態を示す斜視図である。図１１は、第１実施形態に係る使い捨ておむつの重ね合せ開口部を広げた状態を示す斜視図である。図１２は、第２実施形態に係る使い捨ておむつの着用状態を示す斜視図である。図１３は、第２実施形態に係る使い捨ておむつの重ね合せ開口部を広げた状態を示す斜視図である。
【００２５】
［１］第１実施形態
［１．１］全体構成
本発明の実施形態におけるパンツ型の使い捨ておむつ１を用いて、本発明に係る使い捨ておむつを説明する。図１及び図２に示すように、使い捨ておむつ１は、使い捨ておむつ１の外形を形成し、装着時における前身頃２、後身頃３及び股間部４を構成するシャーシー本体１３と、シャーシー本体１３の肌当接面側に設けられ、表面層を構成する略縦長に形成された液透過性の表面シート１１と、表面シート１１の一方側であるシャーシー本体１３の非肌当接面側に設けられ、裏面層を構成する略縦長に形成された液不透過性の裏面シート１４と、表面シート１１とシャーシー本体１３との間に配置され、吸収層を構成する略縦長に形成された液保持性の吸収体１２と、を有する。
【００２６】
シャーシー本体１３は、前身頃２の一部、後身頃３及び股間部４を構成する第１シャーシー１３Ａと、前身頃２の一部を構成し、略縦長に形成される第２シャーシー１３Ｂと、を備える。第１シャーシー１３Ａと第２シャーシー１３Ｂとは、装着時における前身頃２において、第１及び第２シャーシー１３Ａ、１３Ｂの一部を重ね合わせ、この重なり代に設けられる一対の接合部２１、２１において接合されている。具体的には、第１シャーシー１３Ａの装着時における前身頃２に該当する側の長手方向端部に、その端部の幅方向に第２シャーシー１３Ｂの長手方向の一側が重なるように第２シャーシー１３Ｂを配置する。この重なり代には、使い捨ておむつ１の長手方向に伸び、幅方向を二分する略中心線Ｃ１を跨いで互いに離間した位置において接合部２１、２１が設けられ、この接合部２１、２１において、第１及び第２シャーシー１３Ａ、１３Ｂが接合される。各接合部２１の間には、非接合部２２が設けられており、この非接合部２２が設けられることにより、重ね合せ開口部５が形成される。例えば、この非接合部２２である重ね合せ開口部５の第１シャーシー１３Ａを着用者が股下方向側に引っ張ることにより、開口が股下方向に広がり、着用者は、使い捨ておむつ１において所定の大きさの開口を得ることができる。
【００２７】
表面シート１１及び吸収体１２は、第１シャーシー１３Ａの肌当接面側において、第１シャーシー１３Ａの前身頃２から股間部４を介して後身頃３まで配置される。また、裏面シート１４は、第１シャーシー１３Ａの非肌当接面側において、第１シャーシー１３Ａの前身頃２から股間部４を介して後身頃３まで配置される。これにより、例えば、着用者の排泄部から排泄された尿等の排泄物は、表面シート１１における液透過領域を透過して、吸収体１２で吸収されるが、非肌当接面側に配置される裏面シート１４は、液不透過性であるため、尿等の排泄物は非肌当接面側には透過せず、吸収体１２に吸収された状態で保持され、外部への漏れが防止される。
【００２８】
ここで、吸収体１２は、ティッシュ（図示せず）や親水性不織布（図示せず）に包まれた状態で配置してもよい。例えば、親水性不織布に包まれている場合、表面シート１１を用いない構成や表面シート１１を部分的にのみ使用する構成とすることができる。これにより、例えば、生産コストの減少を図ることが可能になる。また、裏面シート１４は、裏面シート１４の非肌当接面側に不織布等を接合させたものを使用してもよい。裏面シート１４の非肌当接面側に不織布等を接合させることにより、着用者の装着時等における肌触りが向上するとともに、裏面シート１４にフィルムを使用した場合には、フィルムに不織布等を接合させることにより、例えば、フィルムの擦れから生じる不快な音の発生を防止できるためである。
【００２９】
なお、略縦長に形成された吸収体１２とは、例えば、長手方向と短手方向を有する略矩形のものを含むものとし、また、長手方向に伸びる側辺の一部が長手方向に伸びる幅方向中心線Ｃ１に向かって窪んだもの、若しくは、長手方向に伸びる側辺の一部が長手方向に伸びる幅方向中心線Ｃ１と反対方向に隆起したものであってもよい。すなわち、略縦長に形成された吸収体１２は、長手方向の両側辺の一部が長手方向に伸びる幅方向中心線Ｃ１に向かって窪んだもの、若しくは、長手方向に伸びる幅方向中心線Ｃ１と反対方向に隆起したものであってもよい。言い換えると、吸収体１２は、吸収体１２の長手方向の一部に幅方向における長さが異なるものであってもよい。また、吸収体１２は、使い捨ておむつ１の幅方向に縦長になるように配置されてもよく、使い捨ておむつ１の長手方向に縦長になるように配置されてもよい。
【００３０】
また、前身頃２と後身頃３とは、例えば、使い捨ておむつ１の幅方向に伸び、長手方向を二分する略中心線Ｃ２により区別されるものを含む。
【００３１】
図２（Ａ）及び（Ｂ）にパンツ型に形成された使い捨ておむつ１を示す。図２（Ａ）及び（Ｂ）に示すように、本実施形態に係る使い捨ておむつ１は、シャーシー本体１３の前身頃２及び後身頃３における接合部であるサイドシール部８、８において、前身頃２と後身頃３とを超音波シール等により接合することによりパンツ型に形成される。パンツ型に形成された使い捨ておむつ１は、装着時において着用者の腹部側に配置される前身頃２と、装着時において着用者の背部側に配置される後身頃３と、着用者の股間部近傍に配置される股間部４と、を備える。また、使い捨ておむつ１は、パンツ型に形成されることにより、着用状態における着用者の胴周りに位置する胴開口部９と、着用者の両足のそれぞれに位置する一対の脚開口部７、７と、を備える。なお、サイドシール部８、８における他の接合方法としては、例えば、熱シール及びホットメルト接着剤等による接合が例示できる。
【００３２】
パンツ型に形成された着用前の状態における使い捨ておむつ１の股上方向の長さ（股間部４から胴開口部９までの股上方向における長さの最大長）としては、例えば、３５０ｍｍから４５０ｍｍの範囲が例示できる。また、使い捨ておむつ１の股上方向と直行する方向（以下、幅方向という）の展開状態における各サイドシール部８、８間の最大長としては、例えば、４２５ｍｍから９００ｍｍの範囲が例示できる。なお、展開状態とは、図１に示すような前身頃２と後身頃３とが非接合である状態をいう。また、最大長とは、後述する糸状の弾性部材又は伸縮性を有する基材シート等の弾性力により縮んだ状態の使い捨ておむつ１を幅方向、及び股上若しくは股下方向に引き伸ばすことにより得られる長さを含む。
【００３３】
使い捨ておむつ１を子供用として使用する場合には、例えば、パンツ型に形成された着用前の状態における子供用の使い捨ておむつ１の股上方向の長さとしては、２００ｍｍから３００ｍｍの範囲が例示できる。また、子供用の使い捨ておむつ１の幅方向の展開状態における各サイドシール部８、８間の最大長としては、例えば、３００ｍｍから４５０ｍｍの範囲が例示できる。
【００３４】
なお、本実施形態においては、図３（Ａ）に示すように、前身頃２と後身頃３とを所定のサイドシール部８、８において接合することにより胴開口部９及び一対の脚開口部７、７を有するパンツ型に形成される使い捨ておむつ１について説明するが、本発明においてはこれに限らない。例えば、図３（Ｂ）に示すように、前身頃２と後身頃３とを係止部材８Ａ等で係止させることにより着用可能な展開型の使い捨ておむつ１Ａに用いてもよい。また、例えば、パンツ型に形成された使い捨ておむつの前身頃２及び後身頃３の所定のサイドシール部８、８において、展開型の使い捨ておむつ１Ａに用いられるような再係止が可能な面ファスナー等の係止部材を設けることにより、パンツ型の使い捨ておむつでありながら容易に当該おむつの係止を解除し、パンツ型の使い捨ておむつを展開及び再係止させることが可能な使い捨ておむつに用いてもよい。
【００３５】
また、本実施形態においては、裏面シート１４をシャーシー本体１３の非肌当接面側に配置したが、本発明においてはこれに限らない。例えば、裏面シート１４は、吸収体１２とシャーシー本体１３との間に配置してもよい。また、裏面シート１４は、シャーシー本体１３が複数のシート部材を積層して形成される場合においては、それぞれのシート部材の間に配置してもよい。
【００３６】
さらに、本発明においては、弾性部材と防漏シートを用いて形成される防漏壁、いわゆる立体ギャザー（図示せず）を使い捨ておむつ１の吸収体１２の幅方向の両端に沿って配置してもよい。例えば、本発明に係る使い捨ておむつ１は、立体ギャザーとして、吸収体１２と、シャーシー本体１３若しくは裏面シート１４との間から吸収体１２の幅方向に延出するように防漏シートを設け、その防漏シートの幅方向端部に少なくとも１以上の弾性部材を配置し、ホットメルト接着剤等により固定することができる。防漏シートは、吸収体１２の幅方向に延出したままの状態であってもよく、吸収体１２の幅方向における中心方向に折り返すことにより、その折り返し部が吸収体１２の肌当接面側に配置されるようにしてもよい。
【００３７】
なお、立体ギャザーは、吸収体１２から吸収体１２の幅方向に延出している場合においては、吸収体１２の長手方向における略中心領域において、吸収体１２と立体ギャザーにおける弾性部材との距離が２０ｍｍ以上の範囲にあることが好ましい。また、立体ギャザーが折り返して配置されている場合においては、略中心領域において立体ギャザーの防漏シートを幅方向に広げた状態において、吸収体１２と立体ギャザーにおける弾性部材との距離が２０ｍｍ以上の範囲にあることが好ましい。
【００３８】
図４（Ａ）及び（Ｂ）に示すように、使い捨ておむつ１のシャーシー本体１３の前身頃２及び後身頃３には、伸縮性不織布や伸縮フィルム等の伸縮性を有する弾性シートが配置されている。これにより、使い捨ておむつ１は、伸張性若しくは伸縮性を備える。なお、使い捨ておむつ１は、例えば、シャーシー本体１３の前身頃２及び後身頃３の全部又は一部に糸状の弾性部材を配置することにより伸張性若しくは伸縮性を備えることとしてもよく、例えば、前身頃２及び後身頃３の一部に弾性シートを配置することにより伸張性若しくは伸縮性を備えることとしてもよい。このように、使い捨ておむつ１は、例えば、シャーシー本体１３の前身頃２及び後身頃３の全部である胴回り若しくは、この胴回りの一部に弾性シート若しくは弾性部材を用いることにより、伸張性若しくは伸縮性を備える。
【００３９】
弾性シート等による伸張性若しくは伸縮性を備える部位としては、例えば、胴開口部９の後身頃３における略中央と、重ね合せ開口部５の股下方向側にある股間部４の近傍と、をパンツ形状におけるシャーシー本体１３の胴回りに沿って繋ぐことにより形成される開口伸縮領域５５の少なくとも一部が伸長若しくは伸縮するものであればよく、例えば、開口伸縮領域５５の一部である重ね合せ開口部５の股下方向側であってもよい。また、例えば、前身頃２及び後身頃３との接続又は係止位置を含む境界部近傍の全部又は一部を含む弾性境界領域５７であってもよい。さらに、胴開口部９の一部である後身頃３近傍の全部又は一部を含む弾性後身頃領域５６であってもよい。使い捨ておむつ１は、開口伸縮領域５５、弾性境界領域５７及び弾性後身頃領域５６の少なくともいずれかを備えていればよく、それぞれを組み合わせたものを備えていてもよい。
【００４０】
ここで、使い捨ておむつ１は、２０Ｎの引張応力で重ね合せ開口部５の股間部４側を股下方向に引っ張った場合に、開口伸縮領域５５の非伸張時の長さを１００％とすると、開口伸縮領域５５の非伸張時の長さに対する開口伸縮領域５５の伸長時の長さが１１０％から４００％まで伸長可能なものを用いることができる。好ましくは、１５０％から４００％まで伸長可能なものを用いることができる。開口伸縮領域の伸長時の長さが１１０％以上なるまで伸長可能であれば、重ね合せ開口部５を開口させた場合に重ね合せ開口部５は、男性性器の取出し口として使用することが可能であるためである。また、開口伸縮領域の伸長時の長さが１５０％から４００％まで伸長可能であれば、男性性器取出し口としての使い易さが向上するためである。
【００４１】
また、シャーシー本体１３における第１及び第２シャーシー１３Ａ、１３Ｂに使用される弾性シートとしては、例えば、非伸張時に対する伸張時の伸縮倍率が１．１倍から４．０倍のものを用いることができる。すなわち、使い捨ておむつ１は、最大伸長倍率が１．１倍から４．０倍の弾性シート、若しくは、最大伸長倍率が１．１倍から４．０倍まで伸張若しくは伸縮可能な第１及び第２シャーシー１３Ａ、１３Ｂを用いることができる。
【００４２】
使い捨ておむつ１は、胴開口部９の周領域において、胴開口部９を弾性化させるために糸状の弾性部材９１を配置することにより形成される、いわゆる胴回りギャザーを有している。胴回りギャザーは、例えば、着用中におけるパンツ型の使い捨ておむつ１の着用位置や着用状態を好適に保つことを可能にする。また、使い捨ておむつ１は、脚開口部７、７の周領域において、脚開口部７、７に沿った部分を弾性化させるために、糸状の弾性部材（図示せず）を配置することにより形成される、いわゆるレッグギャザーを有してもよい。レッグギャザーは、例えば、着用時における脚周りを適当に締め付けることにより漏れを防止することを可能にする。ここで、弾性部材９１は、糸状のものであってもよく、帯状のものであってもよい。また、弾性部材９１としては、例えば、伸縮性不織布（ポリウレタンとポリプロピレンの混合繊維から形成される不織布等）や伸縮フィルム等の伸縮性を有する弾性シートを用いることができる。
【００４３】
［１．２］重ね合せ開口部
重ね合せ開口部５は、例えば、使い捨ておむつ１の長手方向に伸び、幅方向を二分する略中心線Ｃ１（以下、略中心線Ｃ１という。）を跨ぐ互いに離間した位置にある接合部２１、２１の間に設けられる。すなわち、重ね合せ開口部５は、第１及び第２シャーシー１３Ａ、１３Ｂの接合部２１、２１と、接合部２１、２１の間に設けられる非接合部２２と、により形成される。
【００４４】
使い捨ておむつ１の展開状態における重ね合せ開口部５の長手方向の最大長としては、例えば、１００ｍｍ以上であって、使い捨ておむつ１の展開状態における幅方向の最大長の６０％以内の範囲における長さが例示できる。好ましくは、１２０ｍｍ以上であって、使い捨ておむつ１の幅方向にかかる長さの４０％以内の範囲の長さが例示できる。着用者の男性性器を取り出すためには、重ね合せ開口部５の長さは、１００ｍｍ以上の長さが必要であるためである。また、重ね合せ開口部５の長さが使い捨ておむつ１の幅方向にかかる長さの６０％の範囲を超えると、使い捨ておむつ１の装着時において使い捨ておむつ１の引き上げが困難となり、使いづらいものとなってしまうためである。
【００４５】
また、前身頃２における第１及び第２シャーシー１３Ａ、１３Ｂの重なり代の長さとしては、例えば、１５ｍｍ以上の範囲を例示できる。好ましくは、３０ｍｍ以上であることが例示できる。
【００４６】
図５（Ａ）に示すように、重ね合せ開口部５は、前身頃２における胴周域２３にあることが好ましい。なお、胴周域２３とは、使い捨ておむつ１の股間部４を除く前身頃２及び後身頃３を含む。また、重ね合せ開口部５は、前身頃２における吸収体１２の外縁から離間した位置に形成される。例えば、吸収体１２の幅方向における一方側である外縁から離間した位置において、第２シャーシー１３Ｂを第１シャーシー１３Ａの幅方向の一部と重ね合わせることにより重ね合せ開口部５を形成してもよい。また、例えば、吸収体１２の長手方向における一方側である外縁から離間した位置において、第２シャーシー１３Ｂを第１シャーシー１３Ａの長手方向の一部と重ね合わせることにより重ね合せ開口部５を形成してもよい。また、吸収体１２の一部が切り欠かれた状態にある場合には、重ね合せ開口部５は、吸収体１２の切り欠かれた部分と略平行に離間した位置において、例えば、第２シャーシー１３Ｂと第１シャーシー１３Ａとを吸収体１２の切り欠かれた部分と略平行になるように重ね合わせ、重ね合せ開口部５を形成してもよい。
【００４７】
重ね合せ開口部５の配置位置としては、例えば、図５（Ｂ）に示すように、胴開口部９端部から第１シャーシー１３Ａの上端までの距離をａとし、第１シャーシー１３Ａの上端から展開状態における幅方向に伸び、長手方向を二分する略中心線Ｃ２（以下、略中心線Ｃ２という。）までの距離をｂとし、胴開口部９端部から展開状態における略中心線Ｃ２までの距離をｃとした場合において、ｂ／ａに該当する値が、０．６５以上であり、８．０以下の範囲にあることが好ましい。
【００４８】
具体的には、重ね合せ開口部５は、胴開口部９端部から第１シャーシー１３Ａの上端までの距離ａが５０ｍｍから２７０ｍｍの範囲にあることが好ましい。また、第１シャーシー１３Ａの上端から展開状態における略中心線Ｃ２までの距離ｂが１８０ｍｍから４００ｍｍの範囲にあることが好ましい。また、胴開口部９端部から展開状態における略中心線Ｃ２までの距離ｃが３５０ｍｍから４５０ｍｍの範囲にあることが好ましい。
【００４９】
また、重ね合せ開口部５は、吸収体１２の股上方向側に設けられることが好ましい。すなわち、重ね合せ開口部５は、吸収体１２の前身頃２における長手方向の外縁から展開状態における略中心線Ｃ２までの距離をｄとし、第１シャーシー１３Ａの上端から吸収体１２の前身頃２における長手方向の外縁までの距離をｅとした場合において、ｂ／ｄに該当する値が、１．０よりも大きく、２．３よりも小さい範囲にあることが好ましい。具体的には、吸収体１２は、吸収体１２の前身頃２における長手方向の外縁から展開状態における略中心線Ｃ２までの距離ｄが１７５ｍｍから３９５ｍｍの範囲にあることが好ましい。また、第１シャーシー１３Ａの上端から吸収体１２の前身頃２における長手方向の外縁までの距離ｅが５ｍｍから２２５ｍｍの範囲にあることが好ましい。
【００５０】
本実施形態に係る使い捨ておむつ１よりも小さい、いわゆる子供が使用する子供用の使い捨ておむつとしては、例えば、重ね合せ開口部５は、胴開口部９端部から第１シャーシー１３Ａの上端までの距離ａが３５ｍｍから１８０ｍｍの範囲にあることが好ましい。また、第１シャーシー１３Ａの上端から展開状態における略中心線Ｃ２までの距離ｂが１２０ｍｍから２６５ｍｍの範囲にあることが好ましい。また、胴開口部９の端部から展開状態における略中心線Ｃ２までの距離ｃが２００ｍｍから３００ｍｍの範囲にあることが好ましい。
【００５１】
同様に、子供用の使い捨ておむつ１は、吸収体１２の前身頃２における長手方向の外縁から展開状態における略中心線Ｃ２までの距離ｄが１１５ｍｍから２６０ｍｍの範囲にあることが好ましい。また、第１シャーシー１３Ａの上端から吸収体１２の前身頃２における長手方向の外縁までの距離ｅが５ｍｍから１５０ｍｍの範囲にあることが好ましい。
【００５２】
使い捨ておむつ１の非接合部２２における第１シャーシー１３Ａ又は第２シャーシー１３Ｂのいずれか一方若しくは両方には、その全部又は一部に、糸状に形成された複数の弾性部材６３が配置される。このように、非接合部２２に糸状の弾性部材６３を配置することにより、着用者の腹部に対する肌当接性が向上するため、重ね合せ開口部５から着用者の肌が不用意に露出されることを防止することができる。例えば、図６（Ａ）に示すように、第２シャーシー１３Ｂの重ね合せ開口部５に糸状の弾性部材６３を配置した場合においては、第２シャーシー１３Ｂにより第１シャーシー１３Ａの非接合部２２を押さえ込むことが可能となる。また、例えば、図６（Ｂ）に示すように、第１シャーシー１３Ａに重ね合せ開口部５の糸状の弾性部材６３を配置した場合においては、第１シャーシー１３Ａにより第２シャーシー１３Ｂの非接合部２２を押さえ込むことが可能となる。なお、弾性部材６３は、第１及び第２シャーシー１３Ａ、１３Ｂのいずれに配置してもよいが、非肌当接面側に該当するシート部材に配置することが好ましい。また、弾性部材６３は、帯状に形成された弾性部材を用いてもよく、例えば、伸縮性不織布や伸縮フィルムを用いてもよい。
【００５３】
非接合部２２である重ね合せ開口部５は、例えば、容易に剥がすことが可能な弱接合の状態で第１及び第２シャーシー１３Ａ、１３Ｂの一部を接合してもよい。また、非接合部２２である重ね合せ開口部５は、例えば、円形、楕円形又は多角形状等により、所定間隔をもって接合させてもよい。すなわち、重ね合せ開口部５は、非接合部２２の全部を非接合としてもよく、その一部を容易に剥がすことが可能な程度の接合手段により接合してもよい。
【００５４】
［１．３］その他
［１．３．１］補強シート
使い捨ておむつ１の重ね合せ開口部５の両端には、補強部材である一対の補強シート５３、５３が設けられている。一対の補強シート５３、５３は、略矩形に形成されており、第１シャーシー１３Ａと第２シャーシー１３Ｂとの間に配置され、接合部２１において、第１及び第２シャーシー１３Ａ、１３Ｂに接合される。
【００５５】
補強シート５３、５３は、例えば、幅方向、長手方向のいずれにおいても引裂き強度（測定法：Ａ−１法（シングルタング法）ＪＩＳ  Ｌ  １９０６）が５Ｎ以上を有する不織布、若しくはフィルム等の部材を用いることができる。補強シート５３、５３の大きさとしては、例えば、縦（股上方向）６０ｍｍ×横（幅方向）４０ｍｍの大きさを例示できる。なお、補強シート５３、５３は、重ね合せ開口部５の両端において、例えば、ホットメルト接着、熱シール、超音波シール等により、第１シャーシー１３Ａ及び第２シャーシー１３Ｂと接合される。また、シャーシー本体１３である第１及び第２シャーシー１３Ａ、１３Ｂが複数のシート部材等により形成されている場合においては、第１及び第２シャーシー１３Ａ、１３Ｂのいずれかの間に配置し、シート部材の両面から補強シート５３、５３を接合若しくは固定してもよい。なお、本実施形態においては、補強シート５３、５３は、略矩形に形成したものを用いたが、本発明においてはこれに限らない。例えば、円形、楕円形、多角形等、様々な形状のものを用いることができる。
【００５６】
［１．３．２］穴部
重ね合せ開口部５における接合部２１、２１の両端部には、穴部５２、５２が設けられている。具体的には、穴部５２、５２は、第１シャーシー１３Ａ若しくは第２シャーシー１３Ｂのうち、肌当接面側に配置されるシート部材の接合部２１、２１において、その股上方向側の角部にそれぞれ設けられる。穴部５２、５２は、耐引裂かれ強度を向上させるためのものであり、例えば、着用者が重ね合せ開口部５を開口させた場合に、接合部２１、２１にかかる引裂き応力を分散させることが可能になる。具体的には、穴部５２、５２を設けることにより、第１及び第２シャーシー１３Ａ、１３Ｂの接合部２１の端部に発生していた引裂き応力を点ではなく、穴部５２、５２の曲面で受けることが可能となり、穴部５２、５２を設けない場合に比して、耐引裂かれ強度を向上させることが可能となる。穴部５２、５２は、例えば、円形のものであってもよく、楕円形や多角形状のものであってもよい。
【００５７】
［１．３．３］開口補助具
本発明に係る使い捨ておむつ１は、例えば、重ね合せ開口部５の股間部４側又は胴開口部９側に開口補助具である取手部（図示せず）を設けてもよい。取手部としては、例えば、紐状若しくは帯状の基材シート等を第１シャーシー１３Ａ又は第２シャーシー１３Ｂの前身頃２に接合してもよく、舌状の突起部を設けてもよい。このように、開口補助具である取手部を設けることにより、例えば、着用者は、取手部を用いて重ね合せ開口部５を容易に開口させることが可能となる。また、例えば、介護を必要とする人が着用した場合においても、介護者が取手部を引っ張ることにより重ね合せ開口部５を容易に開口させることが可能となるため、患者の排尿等の補助行為も容易となる。
【００５８】
［１．３．４］案内標識
本発明に係る使い捨ておむつ１は、例えば、重ね合せ開口部５の近傍に案内標識（図示せず）を設けてもよい。案内標識としては、例えば、重ね合せ開口部５の股間部４側、若しくは胴開口部９側、或いは、重ね合せ開口部５周域に色彩を付すものであってもよい。このように、色彩を付すことにより、例えば、着用者に重ね合せ開口部５の位置を容易に認識させることが可能となるため、排尿行為を容易とすることができる。
【００５９】
また、案内標識は、矢印等の記号や文字等を付するものであってもよい。このように、矢印等の記号や文字を付することにより、例えば、着用者自身だけでなく、介護者等が着用者の排尿の補助をする場合においても、重ね合せ開口部５の位置や開口方向を間違えることなく容易に開口させることができる。
【００６０】
さらに、案内標識としては、例えば、重ね合せ開口部５の股間部４側、若しくは胴開口部９側、或いは、重ね合せ開口部５周域にエンボス加工等による凹凸加工を施したり、凹凸を有する基材シートを接合してもよい。このように、重ね合せ開口部５の周域等に凹凸加工を施すことにより、着用者は、重ね合せ開口部５の周域等を触るだけで重ね合せ開口部５の位置の確認が可能となるため、排尿行為を容易とすることができるためである。
【００６１】
［１．４］使用形態
次に、本発明の第１実施形態における使い捨ておむつ１の使用態様について説明する。
【００６２】
図１０に示すように、第１実施形態における使い捨ておむつ１は、パンツ型に形成されており、着用者は、通常のパンツと同様に穿き、使用することが可能な使い捨ておむつである。排尿時においては、着用者は、例えば、第１及び第２シャーシー１３Ａ、１３Ｂの非接合部２２である重ね合せ開口部５に指等を挿入させ、重ね合せ開口部５における第１シャーシー１３Ａを股下方向側へ引っ張ることにより重ね合せ開口部５を開口させる。このとき、重ね合せ開口部５の両端には、補強シート５３、５３が設けられているため所定の長さ以上の開口を防止することができる。
【００６３】
なお、使い捨ておむつ１に例えば紐状の開口補助具（図示せず）が重ね合せ開口部５の股下方向側に設けられている場合においては、着用者は、その開口補助具を把持するか、指等に引っ掛け、股下方向側に開口補助具を引っ張ることにより、重ね合せ開口部５を開口させてもよい。また、重ね合せ開口部５の近傍、例えば、重ね合せ開口部５の股上方向側の第２シャーシー１３Ｂ、若しくは、重ね合せ開口部５の股下方向側の第１シャーシー１３Ａに色彩を付与するか、若しくは、凹凸を有する不織布等を配置する等の案内標識（図示せず）を付与した場合には、着用者が容易に重ね合せ開口部５の位置を把握することが可能になる。
【００６４】
次いで、着用者は、開口した重ね合せ開口部５の一部をさらに股下方向側へ引っ張る。これにより、図１１に示すように、シャーシー本体１３における所定の部位が着用者が引っ張る方向に伸長するため、着用者は、重ね合せ開口部５による男性性器を取り出すための大きさの開口を確保することが可能になり、男性性器を容易に取り出すことができる。ここで、シャーシー本体１３が伸長する部位としては、例えば、シャーシー本体１３の全体が伸長するものであってもよく、図７（Ａ）に示すような、胴開口部９の後身頃３の略中央部と重ね合せ開口部５の前身頃２の略中央部とをパンツ形状における外周に沿って繋ぐ領域である開口伸縮領域５５の全部若しくは一部が伸長するものであってもよい。このように、シャーシー本体１３における開口伸縮領域５５の全部又は一部が少なくとも伸長することにより、例えば、図７（Ｂ）に示すように、重ね合せ開口部５により形成された開口が着用者が引っ張る方向である股間部４側に伸長し、重ね合せ開口部５が男性性器を取り出し可能な開口を確保することが可能となる。
【００６５】
また、重ね合せ開口部５が男性性器を取り出し可能な大きさの開口を形成することができるシャーシー本体１３の他の伸縮部位としては、例えば、図８（Ａ）に示すように、胴開口部９近傍の後身頃３に伸縮可能な弾性部材を用いることにより形成される弾性後身頃領域５６が例示できる。このように、少なくともシャーシー本体１３における弾性後身頃領域５６を伸縮可能とすることにより、例えば、図８（Ｂ）に示すように、重ね合せ開口部５により形成された開口が着用者が引っ張る方向である股間部４側に伸長し、重ね合せ開口部５が男性性器を取り出し可能な開口を確保することが可能となる。
【００６６】
さらに、重ね合せ開口部５が男性性器を取り出し可能な大きさの開口を形成することができるシャーシー本体１３の他の伸縮部位としては、例えば、図９（Ａ）に示すように、前身頃２と後身頃３との接合又は係止位置を含む境界部近傍の全部又は一部に伸縮可能な弾性部材を用いることにより形成される弾性境界領域５７が例示できる。このように、少なくともシャーシー本体１３における弾性境界領域５７を伸縮可能に形成することにより、例えば、図９（Ｂ）に示すように、重ね合せ開口部５により形成された開口が着用者が引っ張る方向である股間部４側に伸長し、重ね合せ開口部５が男性性器を取り出し可能な開口を確保することが可能となる。
【００６７】
なお、上記の弾性後身頃領域５６及び弾性境界領域５７は、前述した胴回りギャザー（図示せず）と併用して形成することにより伸縮可能としてもよく、弾性後身頃領域５６若しくは弾性境界領域５７のみにより伸縮可能としてもよい。また、本実施形態においては、前述したレッグギャザーを設けていないが、脚開口部７の周域に糸状の弾性部材、若しくは、伸縮性不織布や伸縮フィルム等の帯状の弾性部材を脚開口部７の全周又はその一部に配置してもよい。
【００６８】
このように、着用者は、使い捨ておむつ１の着用時においても容易に男性性器を取り出すことが可能となり、例えば、片手で男性性器を取り出すこともできる。これにより、例えば、着用者は、排尿時において、使い捨ておむつ１を脱ぐことなく排尿することが可能になる。また、重ね合せ開口部５における開口方向（着用者が引張る方向）が股間部４に向かう方向であり、かつ、重ね合せ開口部５が使い捨ておむつ１の幅方向に伸びる略縦長となっているため、例えば、右利きの人でも、左利きの人でも関係なく、容易に重ね合せ開口部５を股間部４側に開口させることができる。
【００６９】
さらに、例えば、重ね合せ開口部５の肌当接面側若しくは非肌当接面側には、伸縮性を有する第１シャーシー１３Ａ若しくは第２シャーシー１３Ｂが配置されているため、通常時及び排尿後には、第１シャーシー１３Ａ若しくは第２シャーシー１３Ｂが着用者の腹部と当接可能となり、不要に着用者の肌や男性性器が露出されることを防止することができる。また、第１及び第２シャーシー１３Ａ、１３Ｂに設けられた弾性部材により、着用感を向上させることが可能となる。ここで、重ね合せ開口部５の肌当接面側若しくは非肌当接面側のいずれかに伸縮性を有するシート部材（図示せず）を接合した場合においては、通常時及び排尿後に着用者の腹部とシート部材とが当接可能となり、不要に肌や男性性器が露出されることを防止することができる。また、例えば、シート部材に設けられた弾性部材により、着用感を向上させることも可能となる。
【００７０】
［２］第２実施形態
図１２及び図１３を用いて、本発明の第２実施形態に係る使い捨ておむつ１Ｂについて説明する。なお、第２実施形態において、特に説明しない部分は、第１実施形態と同様であり、図面に付した番号も第１実施形態と同様である場合は、同じ番号を付している。
【００７１】
図１２及び図１３に示すように、第２実施形態にかかる使い捨ておむつ１Ｂは、第１及び第２シャーシー１３Ａ、１３Ｂにより形成されるシャーシー本体１３の伸縮可能領域において第１実施形態と異なる。具体的には、第２実施形態に係る使い捨ておむつ１Ｂは、シャーシー本体１３の伸縮領域として、弾性境界領域５７を設けることにおいて、第１実施形態と異なる。
【００７２】
第２実施形態に係る使い捨ておむつ１Ｂは、前身頃２と後身頃３との接合又は係止位置を含む境界部近傍に糸状の弾性部材、若しくは、伸縮性不織布や伸縮フィルム等の帯状の弾性部材を配置することにより形成される弾性境界領域５７を備える。これにより、使い捨ておむつ１は、重ね合せ開口部５Ｂの股上方向側及び股下方向側を含む前身頃２において、当該部分における引張応力がそれ以外の部分の引張応力よりも小さくなる。言い換えると、弾性境界領域５７は、重ね合せ開口部５Ｂの股上方向側及び股下方向側よりも引張応力が大きく、着用者が重ね合せ開口部５Ｂの開口を引張った場合において、弾性境界領域が伸縮可能となる。なお、脚開口部７、７においては、糸状の弾性部材、若しくは、伸縮性不織布や伸縮フィルム等の帯状の弾性部材を配置することにより形成されるレッグギャザーは、全周又はその一部に配置されていてもよいし、配置されていなくてもよい。同様に、胴開口部９においても、いわゆる胴回りギャザーは、全周又はその一部に配置されていてもよく、配置されていなくてもよい。
【００７３】
このように、第２実施形態に係る使い捨ておむつ１Ｂは、重ね合せ開口部５の股上方向側及び股下方向側の引張応力をそれ以外の部分における引張応力よりも小さくする。例えば、重ね合せ開口部５の股上方向側及び股下方向側には伸縮部材を配置しない、若しくは、伸縮量の小さい伸縮部材を配置する構成とする。これにより、使い捨ておむつ１Ｂにおける重ね合せ開口部５の近傍は、弾性部材等による幅方向への縮み（ギャザー）が形成されないか、若しくは他の部位よりも縮み（ギャザー）が少なくなるため、重ね合せ開口部５の長さを最大長に近い状態で保つことが可能となる。さらに、弾性境界領域５７の少なくとも一部が弾性力により伸張するため、重ね合せ開口部５が股下方向へ容易に伸張可能となり、所定の大きさの開口を確保することが可能となる。
【００７４】
［３］各構成物
以下に、使い捨ておむつ１の各構成物について説明する。
【００７５】
［３．１］表面シート
表面シート１１は、使用時には身体側に配置されるとともに排泄部に当接される。表面シート１１は、全面が液透過性であってもよく、一部が液透過性であってもよい。また、一枚のシート状部材で構成されていてもよく、複数のシート部材を積層することにより構成されていてもよい。
【００７６】
表面シート１１としては、例えば、着用中に圧縮、捩れ、摩擦等による負荷がかかっても破損しない強度をもち、肌に刺激を与えない材料が好ましく、織布、不織布、或いは、有孔プラスチックシート等、液透過性を有するシート材料を用いることができる。不織布としては、ポリオレフィン系、ポリエステル系等の疎水性繊維に親水処理を施したものをポイントボンド、エアスルー、スパンボンド等の製法により形成したものが例示できる。また、不織布の材料としては、例えば、天然繊維、化学繊維を主体として、目付が１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【００７７】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【００７８】
［３．２］吸収体
吸収体１２は、尿などの排出された体液を吸収、保持する。吸収体１２としては、例えば、高吸収性ポリマーと親水性繊維とが混合されて積層されたもの、或いは、高吸収性ポリマーが親水性シートにホットメルト接着剤等により固定化された構造を有してもよい。また、高吸収性ポリマーとしては、例えば、ポリアクリル酸塩系、デンプン／アクリル酸塩系などの吸収性ポリマーで、その吸水可能倍率が２０ｇ／ｇ以上、その粒度が１００μｍから８００μｍであるものが８０％以上を占めるものが例示できる。親水性繊維としては、例えば、粉砕したパルプ繊維やレーヨン繊維などが例示できる。親水性シートとしては、ポリオレフィン系、ポリエステル系などの疎水性繊維に親水処理を施したものから形成されるポイントボンド、エアスルー、スパンボンドなどの不織布（目付１５ｇ／ｍ２から３５ｇ／ｍ２）が例示できる。ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。
【００７９】
［３．３］第１及び第２シャーシー
シャーシー本体１３を形成する第１及び第２シャーシー１３Ａ、１３Ｂは、使い捨ておむつ１の外形を構成する。第１及び第２シャーシー１３Ａ、１３Ｂは、一枚のシート部材で構成されていてもよく、複数のシート部材が積層されて構成されていてもよい。なお、本実施形態においては、使い捨ておむつ１は、第１シャーシー１３Ａが前身頃２、後身頃３及び前身頃２と後身頃３との間に位置される股間部４を有し、第１シャーシー１３Ａの所定位置に表面シート１１、吸収体１２及び裏面シート１４が配置されたものであるが、本発明においてはこれに限らない。例えば、第１シャーシー１３Ａが前身頃２及び後身頃３を有し、表面シート１１、吸収体１２及び裏面シート１４を有する股間部４が独立して第１シャーシー１３Ａと接合させるものであってもよい。この場合、股間部４における裏面シート１４と第１シャーシー１３Ａとを接合してもよく、裏面シート１４に第１シャーシー１３Ａの役割をもたせるものであってもよい。
【００８０】
第１及び第２シャーシー１３Ａ、１３Ｂは、通気性であり、着用中に圧縮、捩れ、摩擦等による負荷がかかっても、破損しない強度を有し、肌に刺激を与えない材料が好ましく、例えば、不織布、或いは、有孔プラスチックシート等、通気性を有するシート部材を用いることができる。不織布としては、ポリオレフィン系、ポリエステル系等の合成繊維をポイントボンド、エアスルー、スパンボンド等により形成したものが例示できる。不織布の材料としては、例えば、天然繊維、化学繊維を主体として、目付が１５ｇ／ｍ２から３５ｇ／ｍ２の範囲から得られる材料が例示できる。天然繊維としては、コットン等のセルロースを例示できる。また、化学繊維としては、レーヨン、再生セルロース、アセテート、トリアセテート等の半合成セルロース、熱可塑性疎水性化学繊維、若しくは親水化処理を施した熱可塑性疎水性化学繊維を例示できる。熱可塑性疎水性化学繊維としては、例えば、ポリエチレン（ＰＥ）、ポリプロピレン（ＰＰ）、ポリエチレンテレフタレート（ＰＥＴ）等の単繊維、ポリエチレン（ＰＥ）とポリプロピレン（ＰＰ）をグラフト重合してなる繊維、芯鞘構造等の複合繊維を例示できる。
【００８１】
有孔プラスチックシートとしては、例えば、ポリエチレン（ＰＥ）、ポリプロピレン（ＰＰ）、ポリエチレンテレフタレート（ＰＥＴ）のような熱可塑性樹脂による有孔シートや、多孔質の発泡材等を例示できる。
【００８２】
［３．４］裏面シート
裏面シート１４としては、例えば、ポリエチレン（ＰＥ）、ポリプロピレン（ＰＰ）等を主体とした熱可塑性フィルム、通気性の樹脂フィルム、スパンボンド又はスパンレース等の不織布に通気性の樹脂フィルムを接合したもの、ＳＭＳ（スパンボンド・メルトブロー・スパンボンド）の複数層等を用いることができる。好ましくは、例えば、ポリオレフィン系の樹脂を主体とし、目付が１０ｇ／ｍ２から３０ｇ／ｍ２の範囲から得られる樹脂フィルムが好ましい。
【００８３】
［３．５］弾性部材
弾性部材９１としては、例えば、天然ゴムや、スチレン−ブタジエン、ブタジエン、イソプレン等の合成ゴムを用いることができる。また、シート状の弾性部材としては、例えば、目付が３０ｇ／ｍ２から８０ｇ／ｍ２の発泡ポリウレタン、目付が２０ｇ／ｍ２から７０ｇ／ｍ２のポリウレタンとポリプロピレンとの混合繊維から形成される不織布等を用いることができる。
【００８４】
［３．６］接着剤
表面シート１１及び吸収体１２と、シャーシー本体１３とは、ホットメルト接着剤により貼り合わされるようにして接合される。また、表面シート１１と吸収体１２とは、ホットメルト接着剤により貼り合わされるようにして接合される。第１及び第２シャーシー１３Ａ，１３Ｂは、それぞれがホットメルト接着剤により接合される。なお、接合は、上記ホットメルト接着に限られず、例えば、熱シール、超音波シール等を単独又は組み合わせて使用してもよい。
【００８５】
ホットメルト接着剤としては、ＳＢＳ（スチレン−ブタジエン−スチレン共重合物）、ＳＩＳ（スチレン−イソブチレン−スチレン共重合物）、ＳＥＢＳ（スチレン−エチレン−ブチレン−スチレン共重合物）、ＳＥＰＳ（スチレン−エチレン−プロピレン−スチレン共重合物）、ＡＰＡＯ（Ａｍｏｒｐｈｏｕｓ  Ｐｏｌｙ  Ａｌｐｈａ  Ｏｒｅｆｉｎ）などをベースポリマーとしたものが例示できる。ホットメルト接着により接合した場合における塗工パターンは、例えば、スパイラル塗工、コントロールシーム塗工、コーター塗工、カーテンコーター塗工、サミットガン塗工等が挙げられる。ホットメルト接着における接着剤の目付量は、１ｇ／ｍ２から３０ｇ／ｍ２が好ましく、さらには３ｇ／ｍ２から１０ｇ／ｍ２であることが好ましい。また、接着剤が線状に塗工されているパターンの場合には、その線径は３０μｍから３００μｍであることが好ましい。
【図面の簡単な説明】
【００８６】
【図１】本発明の実施形態に係る使い捨ておむつの展開状態における斜視分解組立図である。
【図２】前記実施形態に係る使い捨ておむつを示す図である。
【図３】パンツ型及び展開型の使い捨ておむつの装着状態を示す斜視図である。
【図４】前記実施形態に係るパンツ型の使い捨ておむつを示す図である。
【図５】重ね合せ開口部の配置位置を示す図である。
【図６】第１及び第２シャーシーの接合状態を示す断面図である。
【図７】第１実施形態に係る使い捨ておむつの開口伸縮領域を示す斜視図である。
【図８】第１実施形態に係る使い捨ておむつの弾性後身頃領域を示す斜視図である。
【図９】第１実施形態に係る使い捨ておむつの弾性境界領域を示す斜視図である。
【図１０】第１実施形態に係る使い捨ておむつの着用状態を示す斜視図である。
【図１１】図１０の重ね合せ開口部を広げた状態を示す斜視図である。
【図１２】第２実施形態に係る使い捨ておむつの着用状態を示す斜視図である。
【図１３】図１２の重ね合せ開口部を広げた状態を示す斜視図である。
【符号の説明】
【００８７】
１    使い捨ておむつ
２    前身頃
３    後身頃
４    股間部
５    重ね合せ開口部
７    脚開口部
８    接合部
９    胴開口部
１１    表面シート
１２    吸収体
１３    シャーシー本体
１３Ａ    第１シャーシー
１３Ｂ    第２シャーシー
１４    裏面シート
２１    接合部
２２、２２    非接合部
【図１】
2008079838.tif 000003
【図２】
2008079838.tif 000004
【図３】
2008079838.tif 000005
【図４】
2008079838.tif 000006
【図５】
2008079838.tif 000007
【図６】
2008079838.tif 000008
【図７】
2008079838.tif 000009
【図８】
2008079838.tif 000010
【図９】
2008079838.tif 000011
【図１０】
2008079838.tif 000012
【図１１】
2008079838.tif 000013
【図１２】
2008079838.tif 000014
【図１３】
2008079838.tif 000015